(57)【要約】【課題】外部からの浸水による制御回路基板の動作不良や、動作時の制御回路基板の温度上昇値を低減し、かつ底部の対流を抑制することで底部からの熱漏洩を大幅に低減するとともに、制御回路基板に接続されたリード線の配線による熱漏洩を低減し、省エネ効果を高くすること。【解決手段】容器２の外周部に位置する筒状の断熱材５と、容器２および断熱材５を内包する外郭６と、外郭６と断熱材５との間に配置した制御回路基板８と、制御回路基板８に対して電気接続されたリード線１１と、断熱材５の下端部５ａと外郭６の底内壁６ａとの間で挟持された底断熱材７とを備え、これにより、底断熱材７は断熱材５の下端部５ａと外郭６の底内壁６ａとの間で挟持され、制御回路基板８に接続されたリード線１１は底断熱材７で挟み込まれていること。【選択図】図１
2007061126.tif 000002
【特許請求の範囲】
【請求項１】
液体を収容する有底筒状の容器と、前記容器内の液体を加熱・保温する加熱手段と、前記容器内の液体の温度を検知する温度検知素子と、前記容器の上方開口部を覆う蓋体と、前記容器の外周部に位置する筒状の断熱材と、前記容器および前記断熱材を内包する外郭と、前記外郭に具備された電源供給部と、前記外郭と前記断熱材との間に配置した制御回路基板と、前記制御回路基板に対して電気接続されたリード線と、前記断熱材の下端部と前記外郭の底内壁との間で挟持された底断熱材とを備えた電気湯沸かし器。
【請求項２】
底断熱材は、略筒状の発泡体で形成した請求項１に記載の電気湯沸かし器。
【請求項３】
リード線は、底断熱材の下面と外郭の底内壁との間で挟み込む構成とした請求項１に記載の電気湯沸かし器。
【請求項４】
リード線は、断熱材の下端部と底断熱材の上面との間で挟み込む構成とした請求項１に記載の電気湯沸かし器。
【請求項５】
制御回路基板は、外郭と断熱材との間の側面空間に配置した請求項１に記載の電気湯沸かし器。
【請求項６】
制御回路基板は、その周囲を不燃材で覆う構成とした請求項１に記載の電気湯沸かし器。
【請求項７】
制御回路基板は、その周囲を難燃樹脂部材で覆い、かつ前記難燃樹脂部材の外表面に金属プレス部材を装着した請求項１に記載の電気湯沸かし器。
【発明の詳細な説明】
【技術分野】
【０００１】
本発明は、断熱材を搭載し、制御回路基板を外郭と断熱材の側面空間に配置した電気湯沸かし器に関するものである。
【背景技術】
【０００２】
従来、この種の電気湯沸かし器としては、例えば、容器の外周部などに断熱材を配設して、容器側面および容器上方から漏洩する熱量を抑え、保温時の保温電力量を低減するものが知られている（例えば、特許文献１参照）。また、制御回路基板を外郭と容器との側面空間に配置させたものが知られている（例えば、特許文献２参照）。
【０００３】
従来例の具体構成は、図２に示すように、液体１０１を収容する有底筒状の容器１０２と、容器１０２内の液体１０１を加熱・保温する加熱手段１０３と、容器１０２の上方開口部を覆う蓋体１０４と、容器１０２の外周部に位置する筒状の断熱材１０５と、容器１０２および断熱材１０５を内包する外郭１０６と、外郭１０６と容器１０２との側面空間に配置した制御回路基板１０８とから構成されていた。
【特許文献１】特開平１１−２９０２１０号公報
【特許文献２】特許第３６３６１６１号公報
【発明の開示】
【発明が解決しようとする課題】
【０００４】
しかしながら、前記従来の構成では、断熱材は単に容器の外周を覆っているにすぎないために、図２の矢印で示すように容器の底部から特に外郭側面を介して熱が漏洩するという課題があった。
【０００５】
また、これを解決するために、断熱材を下方に延長する構成があるが、制御回路基板に対して電気接続されたリード線が断熱材の下端部と外郭の底内壁との間に配線されているために、その配線部から熱が漏洩するという課題があった。
【０００６】
本発明は、前記従来の課題を解決するもので、底部の対流を抑制することで底部からの熱漏洩を大幅に低減するとともに、制御回路基板に接続されたリード線の配線による熱漏洩を低減し、省エネ効果の高い電気湯沸かし器を提供することを目的とする。
【課題を解決するための手段】
【０００７】
前記従来の課題を解決するために、本発明の電気湯沸かし器は、容器の外周部に位置する筒状の断熱材と、容器および断熱材を内包する外郭と、外郭に具備された電源供給部と、外郭と断熱材との間に配置した制御回路基板と、制御回路基板に対して電気接続されたリード線と、断熱材の下端部と外郭の底内壁との間で挟持された底断熱材とを備えたものである。
【０００８】
これにより、底断熱材は断熱材の下端部と外郭の底内壁との間で挟持され、制御回路基板に接続されたリード線は底断熱材で挟み込まれているため、底部の対流が抑制されて底部からの熱漏洩を大幅に低減することができるとともに、制御回路基板に接続されたリード線の配線による熱漏洩を低減し、省エネ効果の高いものとすることができる。
【発明の効果】
【０００９】
本発明の電気湯沸かし器は、外部からの浸水による制御回路基板の動作不良や、動作時の制御回路基板の温度上昇値を低減し、かつ底部の対流を抑制することで底部からの熱漏洩を大幅に低減するとともに、制御回路基板に接続されたリード線の配線による熱漏洩を低減し、省エネ効果の高いものとすることができる。
【発明を実施するための最良の形態】
【００１０】
第１の発明は、液体を収容する有底筒状の容器と、前記容器内の液体を加熱・保温する加熱手段と、前記容器内の液体の温度を検知する温度検知素子と、前記容器の上方開口部を覆う蓋体と、前記容器の外周部に位置する筒状の断熱材と、前記容器および前記断熱材を内包する外郭と、前記外郭に具備された電源供給部と、前記外郭と前記断熱材との間に配置した制御回路基板と、前記制御回路基板に対して電気接続されたリード線と、前記断熱材の下端部と前記外郭の底内壁との間で挟持された底断熱材とを備えることにより、底部の対流が抑制されて底部からの熱漏洩を大幅に低減することができるとともに、制御回路基板に接続されたリード線の配線による熱漏洩を低減し、省エネ効果の高いものとすることができる。
【００１１】
第２の発明は、特に、第１の発明において、底断熱材は、略筒状の発泡体で形成することにより、発泡体のクッション性を利用して底断熱材の上面と断熱材の下端部、及び底断熱材の下面と外郭の底内面とを効果的に密着させることができるため、底部からの熱漏洩をさらに低減するとともに、発泡体で形成された底断熱材のクッション性を利用して制御回路基板に接続されたリード線を効果的に挟み込むことができるため、リード線の配線による熱漏洩をさらに低減し、省エネ効果の高いものとすることができる。
【００１２】
第３の発明は、特に、第１の発明において、リード線は、底断熱材の下面と外郭の底内壁との間で挟み込む構成とすることにより、底断熱材の上面と断熱材の下端部との間にはリード線の配線がなくなり、確実に密着させることができる。
【００１３】
第４の発明は、特に、第１の発明において、リード線は、断熱材の下端部と底断熱材の上面との間で挟み込む構成とすることにより、底断熱材の下面と外郭の底内面との間にはリード線の配線がなくなり、確実に密着させることができる。また、リード線を配線した本体に対して、あらかじめ底断熱材が装着された外郭を組み付けることができるため、組立作業が簡素化できる。
【００１４】
第５の発明は、特に、第１の発明において、制御回路基板は、外郭と断熱材との間の側面空間に配置することにより、製品外形を大きくすることなく、デザイン上の空きスペースを有効に利用できるため、コンパクトでかつ省エネ効果の高いものとすることができる。
【００１５】
第６の発明は、特に、第１の発明において、制御回路基板は、その周囲を不燃材で覆う構成とすることにより、万が一、制御回路基板上の電気接続部などの接触不良が原因により発火した場合でも、その周囲を覆う不燃材が延焼を防止するため、近傍にある可塑性樹脂などに燃え拡がる危険性は少なくなり、被害を最小限にとどめることができるため、より安全性の高いものとすることができる。
【００１６】
第７の発明は、特に、第１の発明において、制御回路基板は、その周囲を難燃樹脂部材で覆い、かつ前記難燃樹脂部材の外表面に金属プレス部材を装着することにより、まず難燃樹脂部材で延焼を防止し、万が一、難燃樹脂部材が燃えたとしても、外表面の金属プレス部材は不燃であるため、それ以上の延焼を防止することができるため、より安全性の高いものとすることができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における電気湯沸かし器を示すものである。
【００１９】
図１に示すように、液体１を収容する容器２はステンレス鋼板で有底円筒状に形成されたものであり、容器２の底面裏側には容器２内の液体１を加熱・保温するヒーターで形成された加熱手段３が固着されている。加熱手段３の定格消費電力は１０００Ｗであり、保温時は７５Ｗである。容器２内の液体１の温度を検知する温度検知素子９は容器２の略中央底面裏側に感熱的に備えられたサーミスタである。蓋体４は容器２の上方開口部を覆うものであり、蓋体４は本体に対して回動自在であり、容器２の上方からは着脱自在に取り付けられている。蓋断熱材４ａは蓋体４に内蔵された発泡ポリプロピレンなどで成形されたものである。断熱材５は容器２の外周部に位置する筒状に形成されたものであり、外郭６は容器２および断熱材５を内包するものである。制御回路基板８はであり、外郭６と断熱材５との間の側面空間に配置したものである。制御回路基板８は電気二重層コンデンサー１２を同一基板上に有し、外郭６に具備された電源供給部１０と、加熱手段３と、温度検知素子９に対して複数のリード線１１で電気接続されている。
【００２０】
また、断熱材５は、特に、その構成が限定されるものではないが、本実施の形態においては、断熱材５を真空断熱材としているものである。これは、真空部を外袋で覆い、真空部はヒュームドシリカやパーライトなどの無機粉末、あるいはグラスウールなどの無機繊維、硬質ウレタンフォーム、発泡フェノール樹脂などの芯材が充填されており、外袋はガスバリア性を有した樹脂フィルム、樹脂・金属箔ラミネートフィルム（例えば、ナイロン・ＰＥＴ・アルミ箔・無延伸ポリプロピレン）などで構成され、内部を減圧して封止したものである。通常、真空断熱材である断熱材５は平板状なるものなので、容器２への装着を可能とするため３本のローラーなどを用いて筒状に加工している。
【００２１】
ここで、本実施の形態における特徴的な構成は、断熱材５の下端部５ａと外郭６の底内壁６ａとの間に、底断熱材７が挟持されている点である。また、底断熱材７の材質はメラミン樹脂の発泡体とし、その形状は打ち抜き加工による円筒形状としたものである。また、リード線１１は、断熱材５の下端部５ａと底断熱材７の上面との間で挟み込む構成としている。また、制御回路基板８は２部品に分割された難燃ポリプロピレン樹脂製の難燃樹脂部材１３で覆われ、かつ各々の難燃樹脂部材１３の外表面に２部品の金属プレス部材１４が装着されている。
【００２２】
なお、本実施の形態では、底断熱材７としてメラミン発泡体を用いているが、耐熱性とクッション性のある断熱材であれば何を用いてもよい。
【００２３】
次に、本実施の形態における電気湯沸かし器の作用を説明する。
【００２４】
電気湯沸かし器は、一般によく知られているように、蓋体４を開放して容器２内に液体１を入れ、液体１を加熱・保温し、ポンプ１０の駆動により、湯を適宜吐出させることができるものである。
【００２５】
ここで、本実施の形態において、液体１は加熱手段３により加熱・保温され、保温中は容器２の外周部に配置した筒状の断熱材５と、蓋体４内部の蓋断熱材４ａおよび断熱材５の下端部５ａと外郭６の底内壁６ａとの間に狭持された底断熱材７により、容器２側面と、容器２上方および容器２底面からの放熱を抑制できるものである。ここで、断熱材５を高断熱効率なる真空断熱材（真空断熱材の熱伝導率＝０．００２〜０．００８Ｗ／ｍＫ）を筒状に加工し、容器２の外周部に配置することにより、保温時の電力量を大幅に低減でき経済性が高く、しかも製品重量を増加させることなく、組立作業性・使い勝手を良化できるものである。
【００２６】
ここで、本実施の形態における特徴的な作用は、断熱材５の下端部５ａと外郭６の底内壁６ａとの間に、底断熱材７が挟持されているため、容器２の底部は加熱手段３からの熱で高温になり、熱が漏洩しやすいが、底断熱材７で底部の対流を抑制することで底部に熱を籠らせる点である。これにより、底部からの熱漏洩を低減することができ、従来の構成よりも少量の保温電力量で容器２内の液体１を保温することができる。
【００２７】
また、底断熱材７の材質はメラミン樹脂の発泡体としているので、発泡体のクッション性を利用して底断熱材７の上面と断熱材５の下端部５ａ、および底断熱材７の下面と外郭６の底内面６ａとを効果的に密着させることができる。これにより、底部からの熱漏洩をさらに低減し、省エネ効果の高いものとすることができる。
【００２８】
また、制御回路基板８は外郭６と断熱材５との間の側面空間に配置しているので、底部空間に配置した場合に比べ、製品外形を大きくすることなく、デザイン上の空きスペースを有効に利用できるため、コンパクトでかつ省エネ効果の高いものとすることができる。また、外部からの浸水による制御回路基板８の動作不良や、動作時の制御回路基板８の温度上昇値を低減することができる。さらに、制御回路基板８は、電気二重層コンデンサー１２を同一基板上に有しているので、温度条件等により基板外に配置する場合より安価な構成となる。
【００２９】
また、制御回路基板８は、その周囲を難燃樹脂部材１３で覆い、かつ難燃樹脂部材１３の外表面に金属プレス部材１４を装着しているので、万が一、制御回路基板８上の電気接続部などの接触不良が原因により発火した場合でもまず難燃樹脂部材１３で延焼を防止し、さらに万が一、難燃樹脂部材１３が燃えたとしても、外表面の金属プレス部材１４は不燃であるため、近傍にある可塑性樹脂などに燃え拡がる危険性は少なくなり、被害を最小限にとどめることができるため、より安全性の高いものとすることができる。
【００３０】
また、制御回路基板８に接続されたリード線１１は発泡体で形成された底断熱材７のクッション性を利用して効果的に挟み込むことができるため、リード線１１の配線による熱漏洩をさらに低減し、省エネ効果の高いものとすることができる。
【００３１】
また、リード線１１は断熱材５の下端部５ａと底断熱材７の上面との間で挟み込んでいるので、底断熱材７の下面と外郭６の底内面６ａとの間にはリード線１１の配線がなくなり、確実に密着させることができる。また、リード線１１を配線した本体に対して、あらかじめ底断熱材７が装着された外郭６を組み付けることができるため、組立作業が簡素化できる。
【００３２】
なお、本実施の形態では、真空断熱材は外袋と芯材が充填された真空部で構成されるものとしたが、特にこれに限定するものではなく、内部を減圧して封止した２重層のステンレスなどで構成される断熱材５であっても同様の効果を得ることができる。また、容器２の形状としては、有底円筒状や有底多角筒状をなし、断熱材５は容器２に沿うような円筒状や多角筒状が望ましいが、特に限定するものではない。
【００３３】
なお、上記した実施の形態に示した要件は、必要に応じて適宜組み合わせて電気湯沸かし器を構成することができるものであり、実施の形態そのものの構成に限定されるものではない。
【産業上の利用可能性】
【００３４】
以上のように、本発明にかかる電気湯沸かし器は、断熱特性が非常に高く、他の熱機器への転用も可能である。
【図面の簡単な説明】
【００３５】
【図１】本発明の実施の形態１における電気湯沸かし器の断面図
【図２】従来の電気湯沸かし器の断面図
【符号の説明】
【００３６】
１  液体
２  容器
３  加熱手段
４  蓋体
５  断熱材
５ａ  下端部
６  外郭
６ａ  底内壁
７  底断熱材
８  制御回路基板
９  温度検知素子
１０  電源供給部
１１  リード線
１２  電気二重層コンデンサー
１３  難燃樹脂部材
１４  金属プレス部材
【図１】
2007061126.tif 000003
【図２】
2007061126.tif 000004